(57)【要約】【課題】上部躯体および免震装置の水平度を確保するとともに、工期短縮を図る。【解決手段】免震基礎１０の配筋１１に、免震装置レベル調整機構２１を備えた免震装置仮受け治具２０を設置する免震装置仮受け治具設置工程と、免震装置仮受け治具２０に免震装置３を仮設置する免震装置設置工程と、柱脚部レベル調整機構３１を備えた柱荷重仮受け架台３０を、配筋１１および免震装置３を囲うように設置する柱荷重仮受け架台設置工程と、上部躯体の柱脚部５１を、柱荷重仮受け架台３０上に設置する柱脚部設置工程と、柱脚部レベル調整機構３１を用いて柱脚部５１の水平度を調整する柱脚部水平度調整工程と、免震装置３の下方にコンクリートを打設して免震基礎１０を構築する免震基礎構築工程と、免震装置３の上方にコンクリートを打設して免震装置３と柱脚部５１を連結するフーチング５５を構築するフーチング構築工程と、を備えた。【選択図】図９
2011021332.tif 000002
【特許請求の範囲】
【請求項１】
床版上に設けられた免震基礎の配筋上に、免震装置を仮設置する免震装置設置工程と、
支持面のレベル調整を行う柱脚部レベル調整機構を備えた柱荷重仮受け架台を、前記配筋および前記免震装置を囲うように設置する仮受け架台設置工程と、
上部躯体の柱脚部を、前記柱荷重仮受け架台上に設置する柱脚部設置工程と、
前記柱脚部レベル調整機構を用いて前記柱荷重仮受け架台の支持面のレベル調整を行うことで前記柱脚部の水平度を調整する柱脚部水平度調整工程と、
前記免震装置の下方にコンクリートを打設して、前記免震基礎を構築する免震基礎構築工程と、
前記免震装置の上方にコンクリートを打設して、前記免震装置と前記柱脚部を連結するフーチングを構築するフーチング構築工程と、を備えた
ことを特徴とする免震構造の構築方法。
【請求項２】
前記柱荷重仮受け架台は、平面視矩形枠状を呈し、
前記柱荷重仮受け架台の各辺には、前記柱脚部レベル調整機構となる伸縮ジャッキが上下方向に沿ってそれぞれ設けられており、
前記柱脚部設置工程では、前記柱脚部を複数の前記伸縮ジャッキ上に載置し、
前記柱脚部水平度調整工程では、前記伸縮ジャッキを伸縮させることで、前記柱脚部の水平度の調整を行う
ことを特徴とする請求項１に記載の免震構造の構築方法。
【請求項３】
前記フーチング構築工程の後に、前記柱荷重仮受け架台を解体して回収する仮受け架台回収工程をさらに備えた
ことを特徴とする請求項１または請求項２に記載の免震構造の構築方法。
【請求項４】
前記柱荷重仮受け架台は、水平方向に二分割されており、
前記仮受け架台回収工程では、前記柱荷重仮受け架台を分離させて水平方向に移動させて回収する
ことを特徴とする請求項３に記載の免震構造の構築方法。
【請求項５】
前記柱脚部水平度調整工程の後に、前記免震基礎構築工程および前記フーチング構築工程と並行または先行して、
前記柱脚部に梁を連結する梁連結工程と、
連結された前記梁上に、前記柱脚部から距離をあけて床スラブを構築するスラブ構築工程と、を行う
ことを特徴とする請求項１乃至請求項４のいずれか１項に記載の免震構造の構築方法。
【発明の詳細な説明】
【技術分野】
【０００１】
本発明は、免震構造の構築方法に関する。
【背景技術】
【０００２】
近年、各種の構造物において、当該構造物の基礎部分などに免震装置を介装することにより、地震などによって地盤から構造物に伝播しようとする振動を減衰させて、構造物の躯体に生じる応力や変形を少なくする免震構造が開発されている。
【０００３】
一般的な免震構造は、下記のように構築される。まず、免震装置の下部基礎（免震基礎）の配筋および型枠設置前に、下部プレート取付け用アンカーフレームを取り付け、このフレームに下部プレートを設置して、下部基礎コンクリートを打設する。そして、型枠を脱型し、下部プレートに免震装置をボルトにて緊結する。そして、免震装置に上部プレートをボルトにて緊結した後に、免震装置の上部基礎の配筋と型枠設置を行い、上部基礎コンクリートを打設する（非特許文献１参照）。その後は、従来通り、上部構造を構築する。
【０００４】
このような免震構造の構築方法は、基礎免震工事の一般工法であり、各部を順次組み上げていく工法である。そのため、各工程の時間が累積されるので、多くの時間がかかり、工期短縮が望めない。
【０００５】
以上の問題を解決するために、例えば、特許文献１に示すような免震構造物が開発されている。この免震構造物は、免震装置上に位置するフーチング（上部基礎の一部および柱脚部）を一体的にユニット化したものである。このような構成によれば、免震装置を設置した後に、その上にフーチングを設置することにより、上部基礎の施工を待つことなく、フーチングを介して柱などの立上り部分を連続して施工することができ、免震関連工事の工期短縮を図ることができる。
【先行技術文献】
【特許文献】
【０００６】
【特許文献１】特開平１１−２７０１８２号公報
【非特許文献】
【０００７】
【非特許文献１】社団法人日本免震構造協会著  「ＪＳＳＩ免震構造施工標準」  財団法人経済調査会出版  ２００５年７月１５日出版
【発明の概要】
【発明が解決しようとする課題】
【０００８】
しかしながら、前記した特許文献１の構成では、以下のような問題があった。つまり、上部躯体が連結されるフーチングを、免震装置上に直接設置するので、上部躯体の水平度を確保するためには、フーチングが設置される免震装置に高い水平度が要求される。しかし、免震装置の水平度を調整する対策は講じられておらず、上部躯体の水平度を確保するのが困難であった。
【０００９】
そこで、本発明は前記の問題を解決すべく案出されたものであって、上部躯体の水平度を確保できるとともに、工期短縮を図ることができる免震構造の構築方法を提供することを課題とする。
【課題を解決するための手段】
【００１０】
前記課題を解決するため、本発明は、床版上に設けられた免震基礎の配筋上に、免震装置を仮設置する免震装置設置工程と、支持面のレベル調整を行う柱脚部レベル調整機構を備えた柱荷重仮受け架台を、前記配筋および前記免震装置を囲うように設置する仮受け架台設置工程と、上部躯体の柱脚部を、前記柱荷重仮受け架台上に設置する柱脚部設置工程と、前記柱脚部レベル調整機構を用いて前記柱荷重仮受け架台の支持面のレベル調整を行うことで前記柱脚部の水平度を調整する柱脚部水平度調整工程と、前記免震装置の下方にコンクリートを打設して、前記免震基礎を構築する免震基礎構築工程と、前記免震装置の上方にコンクリートを打設して、前記免震装置と前記柱脚部を連結するフーチングを構築するフーチング構築工程と、を備えたことを特徴とする免震構造の構築方法である。
【００１１】
このような方法によれば、柱荷重仮受け架台の柱脚部レベル調整機構によって、その上部に設置された柱脚部の水平度を確保することができるので、精度の高い上部躯体を構築できる。また、免震基礎構築工程およびフーチング構築工程が完了するまでは、柱荷重仮受け架台で柱脚部を支持しているので、免震基礎構築工程およびフーチング構築工程と並行あるいは先行して、柱脚部に上部躯体の梁や柱等を連結してその構築を進行することができる。つまり、免震基礎構築工程およびフーチング構築工程の完了を待つことなく、上部躯体構築工程を行うことができるので、施工時間を短縮できる。
【００１２】
また、本発明は、前記柱荷重仮受け架台が、平面視矩形枠状を呈し、前記柱荷重仮受け架台の各辺には、前記柱脚部レベル調整機構となる伸縮ジャッキが上下方向に沿ってそれぞれ設けられており、前記柱脚部設置工程では、前記柱脚部を複数の前記伸縮ジャッキ上に載置し、前記柱脚部水平度調整工程では、前記伸縮ジャッキを伸縮させることで、前記柱脚部の水平度の調整を行うことを特徴とする。
【００１３】
このような方法によれば、簡単な作業で、柱脚部の水平度を確保することができるので、施工時間のさらなる短縮を達成できる。
【００１４】
さらに、本発明は、前記フーチング構築工程の後に、前記柱荷重仮受け架台を解体して回収する仮受け架台回収工程をさらに備えたことを特徴とする。
【００１５】
このような方法によれば、柱荷重仮受け架台を複数回再利用できるので、施工コストを低減させることができる。
【００１６】
また、本発明は、前記柱荷重仮受け架台が、水平方向に二分割されており、前記仮受け架台回収工程では、前記柱荷重仮受け架台を分離させて水平方向に移動させて回収することを特徴とする。
【００１７】
このような方法によれば、容易に柱荷重仮受け架台を回収できるので、施工時間のさらなる短縮を達成できる。また、柱荷重仮受け架台を分離することによって、容易に運搬することができる。
【００１８】
さらに、本発明は、前記柱脚部水平度調整工程の後に、前記免震基礎構築工程および前記フーチング構築工程と並行または先行して、前記柱脚部に梁を連結する梁連結工程と、連結された前記梁上に、前記柱脚部から距離をあけて床スラブを構築するスラブ構築工程と、を行うことを特徴とする。
【００１９】
このような方法によれば、免震基礎構築工程およびフーチング構築工程の完了を待つことなく、上部躯体構築工程を行うことができるので、施工時間を短縮できる。
【発明の効果】
【００２０】
本発明によれば、上部躯体の水平度を確保できるとともに、工期短縮を図ることができる。
【図面の簡単な説明】
【００２１】
【図１】本発明の実施形態に係る免震構造の構築方法の仮受け治具設置工程を説明するための斜視図である。
【図２】本発明の実施形態に係る免震構造の構築方法の免震装置設置工程を説明するための側面図である。
【図３】本発明の実施形態に係る免震構造の構築方法の仮受け架台設置工程を説明するための斜視図である。
【図４】本発明の実施形態に係る免震構造の構築方法の仮受け架台設置工程および柱脚部設置工程を説明するための斜視図である。
【図５】本発明の実施形態に係る免震構造の構築方法の仮受け架台設置工程および柱脚部設置工程を説明するための側面図である。
【図６】本発明の実施形態に係る免震構造の構築方法の柱脚部設置工程および柱脚部水平度調整工程を説明するための斜視図である。
【図７】本発明の実施形態に係る免震構造の構築方法の柱脚部設置工程および柱脚部水平度調整工程を説明するための側面図である。
【図８】本発明の実施形態に係る免震構造の構築方法の梁連結工程およびスラブ構築工程を説明するための斜視図である。
【図９】本発明の実施形態に係る免震構造の構築方法の梁連結工程およびスラブ構築工程を説明するための側面図である。
【図１０】本発明の実施形態に係る免震構造の構築方法の免震基礎構築工程を説明するための一部破断斜視図である。
【図１１】本発明の実施形態に係る免震構造の構築方法の免震基礎構築工程を説明するための一部破断側面図である。
【図１２】本発明の実施形態に係る免震構造の構築方法の免震基礎構築工程およびフーチング構築工程を説明するための一部破断側面図である。
【図１３】本発明の実施形態に係る免震構造の構築方法のフーチング構築工程を説明するための斜視図である。
【図１４】本発明の実施形態に係る免震構造の構築方法のフーチング構築工程を説明するための一部破断側面図である。
【図１５】本発明の実施形態に係る免震構造の構築方法の仮受け架台回収工程を完了した状態を示した図であって、免震構造の構築方法によって構築された免震構造を示した斜視図である。
【図１６】本発明の実施形態に係る免震構造の構築方法の仮受け架台回収工程を完了した状態を示した図であって、免震構造の構築方法によって構築された免震構造を示した側面図である。
【発明を実施するための形態】
【００２２】
本発明に係る免震構造の構築方法を実施するための形態について、添付図面を参照しながら詳細に説明する。
【００２３】
本実施形態に係る免震構造１（図１５および図１６参照）の構築方法は、床版２上に設けられた免震基礎１０の配筋１１に、支持面のレベル調整を行う免震装置レベル調整機構２１を備えた免震装置仮受け治具２０（図１参照）を設置する仮受け治具設置工程と、免震装置仮受け治具２０上（配筋１１上）に免震装置３（図１参照）を仮設置する免震装置設置工程と、支持面のレベル調整を行う柱脚部レベル調整機構３１を備えた柱荷重仮受け架台３０（図４参照）を、配筋１１および免震装置３を囲うように設置する仮受け架台設置工程と、上部躯体の柱脚部５１（図４参照）を、柱荷重仮受け架台３０上に設置する柱脚部設置工程と、柱脚部レベル調整機構３１を用いて柱荷重仮受け架台３０の上端面のレベル調整を行うことで柱脚部５１の水平度を調整する柱脚部水平度調整工程と、免震装置３の下方にコンクリート１４を打設して、免震基礎１０（図１５参照）を構築する免震基礎構築工程と、免震装置３の上方にコンクリート（高流動化コンクリート）６９を打設して、免震装置３と柱脚部５１を連結するフーチング５５（図１５参照）を構築するフーチング構築工程と、を備えたことを特徴とする。そして、この免震構造１の構築方法では、柱脚部水平度調整工程の後に、免震基礎構築工程およびフーチング構築工程と並行または先行して、柱脚部５１に梁５２（図８参照）を連結する梁連結工程と、連結された梁５２上に柱脚部５１から距離をあけて床スラブ５３（図１６参照）を構築するスラブ構築工程とを行うようになっている。
【００２４】
また、本実施形態に係る免震構造１の構築方法は、フーチング構築工程の後に、柱荷重仮受け架台３０を解体して回収する仮受け架台回収工程をさらに備えたことを特徴とする。
【００２５】
以下に、免震構造１を構築するための各工程を詳細に説明する。
【００２６】
（免震基礎配筋工程）
図１および図２に示すように、まず、床版２上に鉄筋を格子状に組み付けて免震基礎１０の配筋１１を形成する。なお、床版２は、配筋の鉄筋量を通常のスラブよりも多くして、耐圧盤として形成しておく。
【００２７】
（仮受け治具設置工程）
次に、免震基礎１０の配筋１１に、免震装置レベル調整機構２１を備えた免震装置仮受け治具２０を設置する。
【００２８】
免震装置仮受け治具２０は、例えばアングル材２２からなる垂直部材と、例えばボルト２３からなる昇降部材とを備えて構成されている。アングル材２２は、その下端が床版２上に載置され、上部が配筋１１に接合されて固定されている。なお、アングル材２２は、配筋１１に接合させずに独立して起立するようにしてもよし、床版２上には載置せず、配筋１１のみに固定するようにしてもよい。アングル材２２の上部にはナット２４が固定されており、このナット２４にはボルト２３が螺合されている。ボルト２３は、回転することで、ナット２４に対して昇降する。このボルト２３とナット２４とで、免震装置レベル調整機構２１が構成されている。免震装置仮受け治具２０は、配筋１１の四隅の内側にそれぞれ配設されており、免震装置３を四隅で四点支持するようになっている。免震装置仮受け治具２０の設置後、四隅のボルト２３を適宜回転させて、各ボルト２３の天端を所定の高さに揃えておく。なお、免震装置レベル調整機構２１は、前記構成に限定されるものではなく、他の構成であってもよい。
【００２９】
（アンカーボルト設置工程）
免震装置仮受け治具２０の設置後、配筋１１の周囲に、柱荷重仮受け架台３０を固定するための後打ちアンカーボルト１２を打ち込む。後打ちアンカーボルト１２は、配筋１１の外周四辺の中間部からそれぞれ外側にオフセットした位置に配置されており、後記する伸縮支持台（柱脚部レベル調整機構）３１の設置位置に打ち込まれている。なお、アンカーボルト設置工程は、仮受け治具設置工程の前に行ってもよいし、仮受け治具設置工程と並行して行ってもよい。
【００３０】
（免震装置設置工程）
次に、免震装置仮受け治具２０上に免震装置３を仮設置する。
【００３１】
図１および図２に示すように、免震装置３は、例えば、上下一対のフランジプレート４ａ，４ｂと、これらフランジプレート４ａ，４ｂ間に一体に取り付けられた積層ゴム５とを備えて構成された高減衰積層ゴム支承が採用されている。この免震装置３は、地震等が発生した際には、上部躯体５０と基礎の床版２との水平方向への相対移動に伴って、積層ゴム５がせん断方向に弾性変形することにより、その弾性変形エネルギーと減衰力によって地震時における水平地震力を吸収するようになっている。なお、本実施形態では、免震装置３として、高減衰積層ゴム支承が採用されているが、これに限定する趣旨ではなく、例えば、弾性すべり支承や、低減衰積層ゴム支承とダンパとの組合せ等を採用してもよいのは勿論である。上下のフランジプレート４ａ，４ｂは、正方形の板状に形成されており、その四隅には、免震装置３を免震基礎１０（図１６参照）またはフーチング５５（図１６参照）に固定するためのボルト用貫通孔（図示せず）が形成されている。なお、本実施形態では、上下のフランジプレート４ａ，４ｂは、正方形の板状であるが、その形状は正方形に限定されるものではなく、円形や多角形等の他の形状であってもよい。
【００３２】
免震装置３の上下には一対のベースプレート６ａ，６ｂが設けられている。ベースプレート６ａ，６ｂは、最終的に免震基礎１０またはフーチング５５に固定される部位であって、免震装置３を、免震基礎１０側およびフーチング５５側に対して平滑に接触させるためのものである。上下のベースプレート６ａ，６ｂは、正方形の板状を呈しており、互いに同形状になっている。ベースプレート６ａ，６ｂの四隅には、ボルト用貫通孔（図示せず）が形成されている。積層ゴム５側から、フランジプレート４ａ，４ｂのボルト貫通孔およびベースプレート６ａ，６ｂのボルト用貫通孔にボルト７ａを挿通させて、その先端に後の工程で免震基礎１０またはフーチング５５に埋め込まれる埋込み型インサート７ｂを螺合させることで、ベースプレート６ａ，６ｂが上下のフランジプレート４ａ，４ｂにそれぞれ固定されている。埋込み型インサート７ｂは、内部に雌ネジを有する袋状ナットにて構成されており、先端に鍔部が形成されている。上側のベースプレート６ａは後の工程でフーチング５５に固定され、下側のベースプレート６ｂは後の工程で免震基礎１０に固定される。下側のベースプレート６ｂの下面には免震基礎１０内に挿入されるスタッドアンカー７ｃが設けられている。上側のベースプレート６ａの上面にはフーチング５５内に挿入されるスタッドアンカー７ｃが設けられている。スタッドアンカー７ｃは、溶接によって上下のベースプレート６ａ，６ｂの表面にそれぞれ固定されている。
【００３３】
図２および図３に示すように、陸組にて上下のベースプレート６ａ，６ｂと一体化された免震装置３を、図示しないクレーンで吊り込む。そして、下側のベースプレート６ｂの四隅が、四つの免震装置仮受け治具２０の上に載るように、免震装置３を免震基礎１０の上方から吊り下ろす。ここで、免震装置３の水平度をチェックして、水平度が確保されていなければ、再度、免震装置レベル調整機構２１によってレベル調整を行う。
【００３４】
（仮受け架台設置工程）
その後、柱脚部レベル調整機構３１を備えた柱荷重仮受け架台３０を、免震基礎１０の配筋１１および免震装置３を囲うように設置する。
【００３５】
図３乃至図５に示すように、柱荷重仮受け架台３０は、配筋１１および免震装置３を水平四方向から囲う四つのフレーム体３２，３２・・と、各フレーム体３２の内側にそれぞれ配置、固定され、柱脚部レベル調整機構３１を構成する伸縮支持体（以下「伸縮支持体３１」と称する場合がある）とを備えて構成されている。フレーム体３２は、配筋１１および免震装置３の外周部から外方に向かって所定の距離をあけた位置で井桁状に組み合わされて、免震装置３の各外周辺とそれぞれ平行になるように配置されている。フレーム体３２は、例えばアングル材等の比較的軽量の鋼材を組み合わせて形成されており、底辺部３２ａと、側辺部３２ｂ，３２ｂと、頂辺部３２ｃと、ブレース部３２ｄ，３２ｄとを備えて構成されている。フレーム体３２は、伸縮支持体３１が傾倒しないように支持する役目を果たす。フレーム体３２は、二つずつ連結して平面視Ｌ字状に固定されており、Ｌ字状に組み合わせたフレーム連結体３４，３４（図３参照）を互いに連結して固定することで、フレーム体３２，３２・・が井桁状に組み合わされる（図４および図５参照）。つまり、柱荷重仮受け架台３０は、水平方向に二分割されていることとなる。
【００３６】
図３および図４に示すように、伸縮支持体３１は、フレーム体３２の内側（免震装置３寄り）で、フレーム体３２の長手方向中間部に配置されている。伸縮支持体３１は、上下方向に伸縮可能に配置された伸縮ジャッキ３３ａと、伸縮ジャッキ３３ａの下部に設けられた土台部３３ｂと、伸縮ジャッキ３３ａの上部に設けられた支持台部３３ｃとを備えて構成されている。伸縮ジャッキ３３ａは、例えば油圧ジャッキが用いられている。土台部３３ｂは、例えば、Ｈ型鋼の側部に補強プレートを固定して形成されており、上フランジの上面に伸縮ジャッキ３３ａの下端部が固定されている。土台部３３ｂの下フランジには、アンカーボルト用の貫通穴（図示せず）が形成されており、床版２に打ち込まれた後打ちアンカーボルト１２が挿通され、伸縮支持体３１を床版２に固定するようになっている。支持台部３３ｃは、例えば、Ｈ型鋼の側部に補強プレートを固定して形成されており、下フランジの下面に伸縮ジャッキ３３ａの上端部が固定されている。支持台部３３ｃの上フランジの上面が、柱脚部５１の支持面となる。この支持面には、緩衝材（図示せず）等を設けてもよい。以上のような伸縮支持体３１は、四箇所に設けられ、各伸縮ジャッキ３３ａ，３３ａ・・を適宜伸縮させることで、柱脚部５１の水平度を確保しつつ所定の高さで支持する。
【００３７】
以上のような構成の柱荷重仮受け架台３０を床版２に設置するに際しては、図３に示すように、Ｌ字状に組み合わせられ、伸縮支持体３１が取り付けられたフレーム連結体３４，３４を吊り込み、免震装置３の水平方向両側から、免震装置３を囲むように移動させる。そして、フレーム連結体３４が所定の位置に移動したならば、床版２上に載置する。このとき、床版２に打ち込まれた後打ちアンカーボルト１２が伸縮支持体３１の土台部３３ｂの下フランジに形成された貫通孔に挿通される。そして、後打ちアンカーボルト１２をナット（図示せず）で締め付けて、柱荷重仮受け架台３０を床版２に固定する。この後、フレーム連結体３４，３４を互いに連結して井桁状に固定する。なお、フレーム連結体３４，３４同士は、必ずしも連結しなくてよい。また、本実施形態では、フレーム連結体３４，３４を設置した後に互いに連結しているが、これに限定されるものではなく、フレーム連結体３４，３４同士を連結した後に、免震装置３の上方から吊り下げて、床版２上に設置してもよい。柱荷重仮受け架台３０を設置した後に、伸縮ジャッキ３３ａを伸長させて、伸縮支持体３１の上端部を、フレーム体３２の上面よりも所定距離上方に突出させておく。
【００３８】
（柱脚部設置工程）
次に、上部躯体の一部である柱脚部５１を、柱荷重仮受け架台３０上に設置する。
【００３９】
図４および図５に示すように、本実施形態では、柱脚部５１は、鉄骨製の柱５６の下端部に上下一対のダイヤフラム５７が接続されている。さらに、柱５６のダイヤフラム５７間には、基礎の梁５２（図８参照）とのジョイント部５８が、四方向に延出して一体的に取り付けられており、平面視十字状に形成されている。なお、本実施形態では、柱５６は、鉄骨製柱が採用されているが、これに限定されるものではなく、鉄骨鉄筋コンクリート製柱やプレキャストコンクリート製柱であってもよい。ジョイント部５８は基礎の梁５２と同形状の鉄骨製である。柱５６の下端部には、後の工程で構築されるフーチング５５（図１５および図１６参照）の配筋６５（図５参照）が設けられている。配筋６５は、柱５６の下端部と、ダイヤフラム５７と、ジョイント部５８の基端部を覆うように設けられている。なお、配筋６５は、側面図だけに図示し、斜視図では図示を省略している。
【００４０】
柱脚部５１を柱荷重仮受け架台３０上に設置するに際しては、図６および図７に示すように、柱脚部５１をクレーンにて吊り込んで、柱５６が免震装置３の上方に位置するとともに、ジョイント部５８が柱荷重仮受け架台３０の伸縮支持体３１上に載置されるように吊り下ろす。このとき、ジョイント部５８のボルト孔が形成されている先端部は、柱荷重仮受け架台３０のフレーム体３２よりも外側に突出している。また、柱脚部５１の下部の配筋６５の下端は、免震装置３の上部の埋込み型インサート７ｂの上端およびアンカーボルト７ｃの上端よりも下側になるようになっている（図７参照）。
【００４１】
（柱脚部水平度調整工程）
その後、伸縮支持体（柱脚部レベル調整機構）３１を適宜伸縮させて、前記柱荷重仮受け架台の支持面（支持台部３３ｃの上フランジの上面）のレベル調整を行うことで、柱脚部５１の水平度を確保するとともに、柱脚部５１を所定の高さに位置させる。なお、本実施形態では、伸縮支持体３１の上端部がフレーム体３２の上面と略面一になって状態で、水平度および設置高さが確保されている。
【００４２】
（梁連結工程）
柱脚部５１のレベル調整が完了したら、図８および図９に示すように、ジョイント部５８に基礎の梁５２をそれぞれ連結する。具体的には、ジョイント部５８および梁５２のウエブおよび上下フランジ同士に、取付プレート５９ａを架け渡して、高力ボルト５９ｂで仮止めする。仮止めした状態で、柱脚部５１の水平度を再度確認する。ここで、水平度が合っていない場合は、伸縮支持体３１の伸縮ジャッキ３３ａの微調整を行い、水平度およびレベルを再調整する。柱脚部５１の水平度およびレベルが正しいことが確認できたら、高力ボルト５９ｂを本締めして、ジョイント部５８と梁５２の本接合を行う。
【００４３】
この時点で、柱脚部５１の水平度とレベルが確定するので、順次、上部躯体の施工を行っていくことができる。
【００４４】
（スラブ構築工程）
次に、連結された基礎の梁５２上に床スラブ５３（図１４参照）を構築する。床スラブ５３を構築するに際しては、図８および図９に示すように、梁５２上にデッキプレート６０を敷設する。デッキプレート６０は、柱脚部５１の周囲に開口部６２を形成するために、柱脚部５１から所定の距離をあけて敷設される。後工程では、開口部６２を利用して免震基礎構築工程やフーチング構築工程等を行う。開口部６２は、少なくともジョイント部５８の上部が解放されるように形成されている。その後、デッキプレート６０上に配筋（図示せず）を行って、図１２に示すように、コンクリート６１を所定厚さに打設する。
【００４５】
（免震基礎構築工程）
梁連結工程およびスラブ構築工程と並行して、免震基礎１０（図１５および図１６参照）を構築する。図１０および図１１に示すように、免震基礎１０の配筋１１の周囲に型枠１３を形成する。なお、型枠１３は、柱荷重仮受け架台３０を設置する前に予め形成しておいてもよい。その後、図１１に示すように、型枠１３内で、免震装置３の下側のベースプレート６ｂより数センチ下のレベルまで、コンクリート１４を打設する。
【００４６】
そして、図１２に示すように、コンクリート１４の養生が完了した後に、型枠１３を解体して撤去するとともに、コンクリート１４の上面に、グラウト材１５を充填するための第二型枠（図示せず）を形成する。そして、第二型枠内にグラウト材１５を充填する。グラウト材１５は、モルタルポンプ（図示せず）にて充填孔より圧入して充填される。その後、グラウト材１５が硬化した後に、第二型枠を解体して撤去する。なお、グラウト材の代わりにコンクリートを圧入することもできる。
【００４７】
（フーチング構築工程）
免震基礎１０が完成したら、柱脚部５１の下端部を覆うようにフーチング５５（図１５および図１６参照）を構築する。図１２に示すように、柱脚部５１に予め配筋されたフーチング５５の配筋６５の周囲側方を覆うように、型枠６６を形成する。型枠６６は、その下端が免震装置３の上側のベースプレート６ａに繋がって形成されている。その後、型枠６６の上部開口部６７を除いて、開口部６２にデッキプレート６８を敷設する。
【００４８】
そして、図１３および図１４に示すように、高流動化コンクリート６９を型枠６６の上部開口部６７から流し込んで、デッキプレート６８（図１２参照）上まで一体で打設する。その後、高流動化コンクリート６９が硬化した後に、型枠６６（図１２参照）を解体して撤去する。
【００４９】
本実施形態では、梁連結工程およびスラブ構築工程は、免震基礎構築工程とフーチング構築工程と並行して行っているが、これに限定されるものではなく、梁連結工程およびスラブ構築工程を先行させるようにしてもよい。このようにした場合も、柱脚部５１に繋がる上部躯体の施工を遅らせることなく、順次行うことができる。
【００５０】
（仮受け架台回収工程）
前記フーチング構築工程の後に、免震基礎１０およびフーチング５５の設計強度が発現した状態となった後に、図１５および図１６に示すように、柱荷重仮受け架台３０を解体して回収する。この回収工程は、柱脚部５１より上部の上部躯体および仮設材を含めた上部構造体の荷重が、予め算出しておいた柱荷重仮受け架台３０の支持荷重を超える前に行う。
【００５１】
具体的には、柱荷重仮受け架台３０（図１４参照）の解体は、伸縮支持体３１の伸縮ジャッキ３３ａを縮退させて緩めて、上部躯体の荷重を免震装置３および免震基礎１０に移行させた後に、順次行う。伸縮ジャッキ３３ａを緩めるに際しては、全ての伸縮支持体３１の伸縮ジャッキ３３ａを同時に縮退させるか、あるいは一つずつ順次縮退させる。伸縮ジャッキを一つずつ縮退させる場合は、隣接する柱間のスパンの１／３０００の数値範囲内で縮退させていくようにする。回収した柱荷重仮受け架台３０は他の柱脚部あるいは施工現場で再利用する。
【００５２】
その後、連結していたフレーム連結体３４，３４（図３参照）を切り離して二分割し、各フレーム連結体３４，３４が免震装置３からそれぞれ逆方向に離間するように外側に移動させて回収する。
【００５３】
以上のような免震構造１の構築方法によれば、免震装置仮受け治具２０の免震装置レベル調整機構２１によって、免震装置３の水平度を確保することができるとともに、柱荷重仮受け架台３０の柱脚部レベル調整機構３１によって、その上部に設置された柱脚部５１の水平度を確保することができる。したがって、精度の高い上部躯体５０を構築することができる。
【００５４】
また、免震基礎構築工程およびフーチング構築工程が完了するまでは、柱荷重仮受け架台３０で柱脚部５１を支持しているので、免震基礎構築工程およびフーチング構築工程と並行あるいは先行して、柱脚部５１に上部躯体５０の梁５２や柱５６等を連結してその構築を進行することができる。つまり、免震基礎構築工程およびフーチング構築工程の完了を待つことなく、上部躯体の構築を行うことができるので、建物全体としての施工時間を短縮できる。
【００５５】
さらに、本発明は、フーチング構築工程の後に、前記柱荷重仮受け架台を解体して回収する仮受け架台回収工程をさらに備えているので、柱荷重仮受け架台３０を複数回再利用できる。したがって、施工コストを低減させることができるとともに、産業廃棄物を低減することができ、環境に好ましい。
【００５６】
また、柱荷重仮受け架台３０は、平面視矩形枠状を呈しており、柱荷重仮受け架台３０の各辺を構成するフレーム体３２，３２・・には、柱脚部レベル調整機構３１となる伸縮支持体３１の伸縮ジャッキ３３ａが上下方向に沿ってそれぞれ設けられており、柱脚部設置工程では、支持台部３３ｃを介して柱脚部５１を複数の伸縮ジャッキ３３ａ上に載置し、柱脚部水平度調整工程では、伸縮ジャッキ３３ａを伸縮させることで、柱脚部５１の水平度の調整を行うようになっている。これによって、簡単な作業で、柱脚部５１の水平度を確保することができるので、施工時間のさらなる短縮を達成できる。
【００５７】
さらに、柱荷重仮受け架台３０は、矩形枠部分が水平方向に二分割されており、仮受け架台回収工程では、柱荷重仮受け架台３０を分離させて水平方向に移動させるといった簡単な作業で回収することができる。また、柱荷重仮受け架台３０は組立ても容易に行うことができる。したがって、施工時間のさらなる短縮を達成できる。さらに、柱荷重仮受け架台３０を二分割することによって、容易に且つ効率的に運搬することができる。また、本実施形態では伸縮ジャッキ３３ａに油圧ジャッキを用いているので、上部躯体５０の大きい荷重に対応できるとともに、細かい制御ができ精度の高い水平度調整およびレベル調整を行うことができる。
【００５８】
以上、本発明を実施するための形態について説明したが、本発明は前記実施の形態に限定されず、本発明の趣旨を逸脱しない範囲で適宜設計変更が可能である。たとえば、前記実施形態では、柱荷重仮受け架台３０の伸縮ジャッキ３３ａは、柱脚部５１のジョイント部５８の下部に位置して、ジョイント部５８が伸縮ジャッキ３３ａ上に載置されるように構成されているが、これに限定されるものではない。例えば、伸縮ジャッキを柱荷重仮受け架台の四隅に配置するとともに、伸縮ジャッキ間に架け渡される枠体を設け、この枠体上にジョイント部５８を載置するような構成としてもよい。
【符号の説明】
【００５９】
１      免震構造
２      床版
３      免震装置
１０    免震基礎
１４    コンクリート
１１    （免震基礎の）配筋
２０    免震装置仮受け治具
２１    免震装置レベル調整機構
３０    柱荷重仮受け架台
３１    伸縮支持体（柱脚部レベル調整機構）
３３ａ  伸縮ジャッキ
５１    柱脚部
５２    梁
５３    床スラブ
５５    フーチング
６５    （フーチングの）配筋
６９    高流動化コンクリート（コンクリート）
【図１】
2011021332.tif 000003
【図２】
2011021332.tif 000004
【図３】
2011021332.tif 000005
【図４】
2011021332.tif 000006
【図５】
2011021332.tif 000007
【図６】
2011021332.tif 000008
【図７】
2011021332.tif 000009
【図８】
2011021332.tif 000010
【図９】
2011021332.tif 000011
【図１０】
2011021332.tif 000012
【図１１】
2011021332.tif 000013
【図１２】
2011021332.tif 000014
【図１３】
2011021332.tif 000015
【図１４】
2011021332.tif 000016
【図１５】
2011021332.tif 000017
【図１６】
2011021332.tif 000018